【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
第１の操作部材と、
第２の操作部材と、
前記第１の操作部材が操作されたことに応じて、該第１の操作部材の操作に応じて選択可能な複数の項目を第１の方向に並べて表示手段に表示するように制御する表示制御手段と、
前記表示制御手段によって前記複数の項目が前記第１の方向に並べて表示された後に前記第１の操作部材が操作されることに応じて、選択される項目を、該複数の項目のうち現在選択されている項目から前記第１の方向の他の項目に切り換え、前記表示制御手段によって前記複数の項目が前記第１の方向に並べて表示された後に前記第２の操作部材が操作されることに応じて、選択される項目を、該複数の項目のうち現在選択されている項目から前記第１の方向と反対方向である第２の方向の他の項目に切り換えるよう制御する制御手段と
を有することを特徴とする情報表示装置。
【請求項２】
第３の操作部材と、
第４の操作部材とをさらに有し、
前記表示制御手段は、前記第３の操作部材が操作されたことに応じて、該第３の操作部材の操作に応じて選択可能な複数の項目を、前記第１の方向と平行でない第３の方向に並べて表示手段に表示するように制御し、
前記制御手段は、前記表示制御手段によって前記複数の項目が前記第３の方向に並べて表示された後に前記第３の操作部材が操作されることに応じて、選択される項目を、該複数の項目のうち現在選択されている項目から前記第３の方向の他の項目に切り換え、前記表示制御手段によって前記複数の項目が前記第３の方向に並べて表示された後に前記第４の操作部材が操作されることに応じて、選択される項目を、該複数の項目のうち現在選択されている項目から前記第３の方向と反対方向である第４の方向の他の項目に切り換えるよう制御することを特徴とする請求項１記載の情報表示装置。
【請求項３】
前記表示制御手段は、前記第１の操作部材の操作に応じて選択可能な複数の項目を１列に並べて表示するように制御することを特徴とする請求項１または２に記載の情報表示装置。
【請求項４】
前記表示制御手段は、前記第１の操作部材の操作に応じて選択可能な複数の項目を、前記第１の方向に向かって順方向となる順序で並べて表示するように制御することを特徴とする請求項１乃至３の何れか１項に記載の情報表示装置。
【請求項５】
前記表示制御手段は、前記第１の操作部材が操作されたことに応じて、該第１の操作部材の操作に応じて選択可能な複数の項目を、前記第１の方向に徐々に開くようなアニメーション効果をつけて表示するように制御することを特徴とする請求項１乃至４の何れか１項に記載の情報表示装置。
【請求項６】
前記第１の方向は、前記第２の操作部材が配置された位置から前記第１の操作部材が配置された位置へと向かう方向と平行であることを特徴とする請求項１乃至５の何れか１項に記載の情報表示装置。
【請求項７】
前記表示制御手段は、前記第２の操作部材が操作されたことに応じて、該第２の操作部材の操作に応じて選択可能な複数の項目であって、前記第１の操作部材が操作されたことに応じて表示される項目とは異なる複数の項目を前記第１の方向に並べて表示手段に表示するように制御し、
前記制御手段は、前記表示制御手段によって、前記第２の操作部材が操作されたことに応じて前記複数の項目が前記第１の方向に並べて表示された後に前記第１の操作部材が操作されることに応じて、選択される項目を、該複数の項目のうち現在選択されている項目から前記第１の方向の他の項目に切り換え、前記表示制御手段によって、前記第２の操作部材が操作されたことに応じて前記複数の項目が前記第１の方向に並べて表示された後に前記第２の操作部材が操作されることに応じて、選択される項目を、該複数の項目のうち現在選択されている項目から前記第２の方向の他の項目に切り換えるよう制御することを特徴とする請求項１乃至６の何れか１項に記載の情報表示装置。
【請求項８】
前記表示制御手段は、前記第１の操作部材が操作されたことに応じて、該第１の操作部材の操作に応じて選択可能な複数の項目が前記第１の方向に並べて表示された後に、前記第１の操作部材と前記第２の操作部材以外の操作部材が操作されることに応じて、前記複数の項目の表示を終了するように制御することを特徴とする請求項１乃至７の何れか１項に記載の情報表示装置。
【請求項９】
第１の操作と第２の操作とが可能な操作部材と、
前記操作部材に対する第１の操作が行われたことに応じて、前記第１の操作に応じて選択可能な複数の項目を、第１の方向に並べて表示手段に表示するように制御する表示制御手段と、
前記表示制御手段によって前記複数の項目が前記第１の方向に並べて表示された後に前記操作部材で前記第１の操作が行われたことに応じて、選択される項目を、該複数の項目のうち現在選択されている項目から前記第１の方向の他の項目に切り換え、前記表示制御手段によって前記複数の項目が前記第１の方向に並べて表示された後に前記操作部材で前記第２の操作が行われたことに応じて、選択される項目を、該複数の項目のうち現在選択されている項目から前記第１の方向と反対方向である第２の方向の他の項目に切り換えるよう制御する制御手段と
を有することを特徴とする情報表示装置。
【請求項１０】
前記操作部材は、第３の操作と第４の操作とが可能な操作部材であり、
前記表示制御手段は、前記操作部材に対する第３の操作が行われたことに応じて、前記第３の操作に応じて選択可能な複数の項目を、前記第１の方向と平行でない第３の方向に並べて表示手段に表示するように制御し、
前記制御手段は、前記表示制御手段によって前記複数の項目が前記第３の方向に並べて表示された後に前記操作部材で前記第３の操作が行われたことに応じて、選択される項目を、該複数の項目のうち現在選択されている項目から前記第３の方向の他の項目に切り換え、前記表示制御手段によって前記複数の項目が前記第３の方向に並べて表示された後に前記操作部材で前記第４の操作が行われたことに応じて、選択される項目を、該複数の項目のうち現在選択されている項目から前記第３の方向と反対方向である第４の方向の他の項目に切り換えるよう制御することを特徴とする請求項９に記載の情報表示装置。
【請求項１１】
前記第３の方向は前記第１の方向と垂直な方向であることを特徴とする請求項２または９に記載の情報表示装置。
【請求項１２】
第１の操作部材と第２の操作部材とを有する情報表示装置の制御方法であって、
前記第１の操作部材が操作されたことに応じて、該第１の操作部材の操作に応じて選択可能な複数の項目を第１の方向に並べて表示手段に表示するように制御する表示制御ステップと、
前記表示制御ステップによって前記複数の項目が前記第１の方向に並べて表示された後に前記第１の操作部材が操作されることに応じて、選択される項目を、該複数の項目のうち現在選択されている項目から前記第１の方向の他の項目に切り換え、前記表示制御ステップによって前記複数の項目が前記第１の方向に並べて表示された後に前記第２の操作部材が操作されることに応じて、選択される項目を、該複数の項目のうち現在選択されている項目から前記第１の方向と反対方向である第２の方向の他の項目に切り換えるよう制御する制御ステップと
を有することを特徴とする情報表示装置の制御方法。
【請求項１３】
第１の操作と第２の操作とが可能な操作部材を有する情報表示装置の制御方法であって、
前記操作部材に対する第１の操作が行われたことに応じて、前記第１の操作に応じて選択可能な複数の項目を、第１の方向に並べて表示手段に表示するように制御する表示制御ステップと、
前記表示制御ステップによって前記複数の項目が前記第１の方向に並べて表示された後に前記操作部材で前記第１の操作が行われたことに応じて、選択される項目を、該複数の項目のうち現在選択されている項目から前記第１の方向の他の項目に切り換え、前記表示制御ステップによって前記複数の項目が前記第１の方向に並べて表示された後に前記操作部材で前記第２の操作が行われたことに応じて、選択される項目を、該複数の項目のうち現在選択されている項目から前記第１の方向と反対方向である第２の方向の他の項目に切り換えるよう制御する制御ステップと
を有することを特徴とする情報表示装置の制御方法。
【請求項１４】
コンピュータを、請求項１乃至９のいずれか１項に記載された情報表示装置の各手段として機能させるプログラム。
【請求項１５】
コンピュータを、請求項１乃至９のいずれか１項に記載された情報表示装置の各手段として機能させるプログラムを格納したコンピュータが読み取り可能な記憶媒体。
【手続補正２】
【補正対象書類名】明細書
【補正対象項目名】発明の名称
【補正方法】変更
【補正の内容】
【発明の名称】情報表示装置及びその制御方法
【手続補正３】
【補正対象書類名】明細書
【補正対象項目名】０００６
【補正方法】変更
【補正の内容】
【０００６】
上記課題を解決するために、本発明では
第１の操作部材と、
第２の操作部材と、
前記第１の操作部材が操作されたことに応じて、該第１の操作部材の操作に応じて選択可能な複数の項目を第１の方向に並べて表示手段に表示するように制御する表示制御手段と、
前記表示制御手段によって前記複数の項目が前記第１の方向に並べて表示された後に前記第１の操作部材が操作されることに応じて、選択される項目を、該複数の項目のうち現在選択されている項目から前記第１の方向の他の項目に切り換え、前記表示制御手段によって前記複数の項目が前記第１の方向に並べて表示された後に前記第２の操作部材が操作されることに応じて、選択される項目を、該複数の項目のうち現在選択されている項目から前記第１の方向と反対方向である第２の方向の他の項目に切り換えるよう制御する制御手段と
を有することを特徴とする。